Podtech/llm-jp-corpus-v4-ja_patent huggingface dataset:
(57)【要約】【課題】まな板をしっかりと置けるスペースが無い狭いキッチンの場合、まな板を無理矢理置くので安定性に欠け、利便性と調理効率が悪く、包丁を使うのにとても危険であるという欠点があった。それを改善するためのまな板を提供する。【解決手段】まな板（１）をシンク（４）の縁から、向かい合う縁にかけて置いた場合のシンク（４）に触れる部分に穴（２）を設け、そこに凸状の突起を設けた吸着盤（３）を差し込み、吸着盤（３）をシンク（４）の縁に吸着させてまな板を固定する  以上のことを特徴とする。【選択図】図２
2005288104.tif 000002
【特許請求の範囲】
【請求項１】
シンクに触れる部分に吸着盤（３）を付けたまな板
【請求項２】
まな板に脚（６）を設けた請求項１のまな板。
【発明の詳細な説明】
【発明の詳細な説明】
【技術分野】
【０００１】  この発明は、まな板を置くスペースの無いキッチンのシンクで使用するまな板に関するものである。
【背景技術】
【０００２】  従来、まな板を置くスペースの無いキッチンでは無理矢理まな板を置いていた。
【発明が解決しようとする課題】
【０００３】  それは安定性に欠け、利便性と調理効率が悪く、包丁を使うのにとても危険であるという欠点があった。
本発明はこれらの欠点を除くためになされたものである。
【課題を解決するための手段】
【０００４】  まな板のシンクに触れる部分に吸着盤を付ける。
【０００５】  また、まな板がシンク内に納まるサイズにする場合は、まな板に脚を設け、シンクに触れる部分に吸着盤を付ける。
本発明は、以上のような構成よりなるまな板である。
【発明を実施するための最良の形態】
【０００６】  発明の実施の形態を実施例にもとづき図面を参照して説明する。
図１、図２において、まな板（１）をシンク（４）の縁から、向かい合う縁にかけて置いた時にまな板が（１）シンク（４）に触れる部分に穴（２）を設け、そこに凸状の突起を設けた吸着盤（３）を差し込み、吸着盤（３）をシンク（４）の縁に吸着させてまな板を固定する。【０００７】  その場合、吸着盤（３）を取り付けるのはシンクの片側だけでも良い。【０００８】  図３に示される実施例では、まな板がシンク内に納まるサイズにするために、まな板（１）の片側の縁にシンクの底面（５）にむかう脚（６）を設け、まな板（１）と脚（６）がシンク（４）と触れる部分に吸着盤（３）を取り付けてシンク（４）に吸着させ固定している。【０００９】  また、まな板（１）の片側の縁にシンクの底面（５）にむかう脚（６）を設けた場合、シンク（４）の縁の高さとまな板の脚（６）の高さが合わない場合があるので、図４に示される実施例のように、吸着盤に段差（７）を設け、段差（７）の位置に変化をもたせることにより高さを異ならせた吸着盤（８）をシンク（４）の高さに合わせてまな板（１）と脚（６）に付けることにより、シンク（４）の縁との高さを合わせることができる。【００１０】  図５に示される実施例では、まな板がシンク内に納まるサイズにするために、まな板（１）の両側の縁にシンクの底面（５）にむかう脚（６）を設け、まな板（１）と脚（６）がシンクに触れる部分に吸着盤（３）を取り付けてシンク（４）に吸着させ固定している。【００１１】  図６に示される実施例では、脚（６）を設ける場合に、脚（６）をまな板（１）の縁から内側に設けている。そうすることにより、まな板（１）に接して置いた器などに切った物を移し易くなる。【００１２】  吸着盤をまな板に付ける方法は、図（７）に示す実施例のように、まな板（１）に凸状の突起（９）を設け、それを凹状の突起を設けた吸着盤（１０）に差し込む方法でもよい。【００１３】  吸着盤をまな板に付ける方法は、図（８）に示す実施例のように、まな板（１）にメスネジ（１１）を設け、吸着盤（３）にオスネジ（１２）を設けて、ねじ込む方法でもよい。
【発明の効果】
本発明は以上のような構成なので、キッチンのシンクにしっかりと固定された状態で安全にまな板を使用でき、狭いキッチンでも安全に使い勝手良くまな板を使える様になった。
【００１４】  まな板とシンクを固定する方法に吸着盤を使用することにより、シンクを傷つけずにしっかりと固定でき、簡単に取り外すことが出来る。
【００１５】  まな板に穴を設け、吸着盤を付けるで吸着盤をシンクから外すことなくまな板を外すこともできる。
【００１６】  そのため、高さの異なる吸着盤を簡単に装着でき、さまざまな高さのシンクに対応でる。
【００１７】  また、脚を設けたまな板の場合、洗った後もホルダーなどを使用しなくとも単独で立て掛けることが出来る。
【００１８】  吸着盤をねじ込み式にした場合、吸着盤を付け替えることなく高さを調節できる。
【図面の簡単な説明】
【図１】  本発明の上面図である。
【図２】  本発明の使用中の縦断面図である。
【図３】  脚を片側に設けた場合の実施例を示す使用中の縦断面図である。
【図４】  段差を設けた吸着盤の実施例を示す側面図である。
【図５】  脚を両側に設けた場合の実施例を示す使用中の側面図である。
【図６】  脚を設ける部分の実施例を示す側面図である。
【図７】  吸着盤の取り付け方の実施例を示すまな板の側面図と吸着盤の縦断面図である。
【図８】  吸着盤の取り付け方の実施例を示すまな板の縦断面図と吸着盤の側面図である。
【符号の説明】
１  まな板
２  穴
３  吸着盤
４  シンク
５  シンクの底面
６  脚
７  段差
８  吸着盤
９  突起
１０  吸着盤
１１  メスネジ
１２  オスネジ
【図１】
2005288104.tif 000003
【図２】
2005288104.tif 000004
【図３】
2005288104.tif 000005
【図４】
2005288104.tif 000006
【図５】
2005288104.tif 000007
【図６】
2005288104.tif 000008
【図７】
2005288104.tif 000009
【図８】
2005288104.tif 000010
(57)【要約】【課題】  衣類用ハンガー及び洗濯物用ハンガーのクリップとして挟み跡を残すことなく、滑り落ちにくく、更に挟みやすくしたクリップを提供する。【解決手段】  クリップ（図３）の挟み口の上側挟み先（３）を短く、下側（４）を突出させ、挟んだ衣類等が接する面は、上側下側ともにアーチ型にし、しっかり止める接点（７）（８）を設けた衣類ハンガークリップ。【選択図】  図３
2005288109.tif 000002
【特許請求の範囲】
【請求項１】
本体（図３）の、はさみ先は上下異なる長さのはさみ口（３）（４）で構成されたことを特長とするクリップ。
【請求項２】
挟んだ衣類に接する面（５）（６）をアーチ型にし、複数の凹凸の溝があることを特長とするクリップ。
【発明の詳細な説明】
【発明の詳細な説明】
【技術分野】
【０００１】  この発明は衣類ハンガー、及び洗濯用ハンガーのクリップとして衣類に挟み跡を残すことなく、また、滑り落ちにくく、更に、挟みやすくしたクリップに関するものである。
【背景技術】
【０００２】  従来、衣類や洗濯した衣類を吊るすために、クリップを使用することは、よく知られている。
【発明を実施するための最良の形態】
【０００３】  本発明は衣類を確実に挟み、且つ衣類に挟み跡を残さないよう、衣類とクリップの接触面を極力すくなくするため（５）（６）をアーチ型にしたものである。
【発明が解決しようとする課題】
【０００４】  これには次のような欠点があった。
（イ）挟み口の上下の長さが同じため、衣類、洗濯物を挟むときの体の位置、向きの状態により手の先にあるクリップの挟み口が見えにくかった。
（ロ）衣類、洗濯物を確実に挟もうとするため、クリップと衣類の接する面が大きく、そのため衣類にクリップ跡を残した。
本発明は、これらの欠点を除くために考案されたものである。
【課題を解決するための手段】
【０００５】  本体の挟み口の上側挟み先（３）は、下側挟み先（４）より短くする。挟み口を上下共にアーチ型にし、そしてアーチ型の両端が接点になるようにする。アーチ型の内側にはそれぞれ複数の溝をつける。
本発明は、以上のような構成よりなるクリップである。
【発明を実施するための最良の形態】
【０００６】  以下、本発明の実施の形態について説明する。
（イ）  クリップ本体（図３）の挟み口の長さは上側（３）は下側（４）より短く設ける。
（ロ）  挟み口には上側・下側にそれぞれをアーチ型（５）（６）にし、上側下側の２ヶ所の接点（７）（８）を設ける。
本発明は以上のような構造で、これを使用する時は、クリップ本体（図３）の挟み口（３）（４）から、すべりこませるように、クリップの支点（２）まで持っていく。
【発明の効果】
【０００７】  衣類のハンガー及び洗濯物ハンガーに取り付けられるクリップとして、またクリップ単体として、様々な用途が考えられる。
衣類や洗濯物を挟むとき、このクリップは挟み口の下側が長くなっているため衣類や洗濯物を円滑に滑り込ませるように挟める。且つ、衣類や洗濯物が直接当たるアーチ型の接点２ヶ所でしっかり固定され、アーチ型のところで滑りにくくしているので、ずり落ちにくく、クリップの溝跡が衣類に残るのを軽減させる。
【図面の簡単な説明】
【図１】本発明の正面図である
【図２】本発明の平面図である。
【図３】本発明の斜視図である。
【符号の説明】
１    スプリング
２    クリップの交叉点
３    挟み口の上側
４    挟み口の下側
５    アーチ型上側
６    アーチ型下側
７    上、下挟みの接点
８    上、下挟みの接点
【図１】
2005288109.tif 000003
【図２】
2005288109.tif 000004
【図３】
2005288109.tif 000005
(57)【要約】【課題】赤ん坊の散髪など、仕事量を軽減するために、切ることによって落ちる髪の毛を受けるボックス付きくし付きはさみを提供する。【解決手段】はさみ１にくし２を付けることによって、散髪を簡単にし、ボックス４を付けることによって、前準備や後片付けを短縮し、手軽に使用できるようにする。【選択図】図１
2005288102.tif 000002
【特許請求の範囲】
【請求項１】
はさみの片側は、くしと刃が一緒に付いていることを特徴とするはさみ。
【請求項２】
はさみ自体に、切ることによって落ちる髪の毛を受けるボックスが付いていることを特徴とする請求項１記載のはさみ。
【発明の詳細な説明】
【技術分野】
【０００１】この発明は、散髪時の仕事量を軽減するために、はさみの片側にくしを付け、切ることによって落ちる髪の毛をボックスで受けるようにしたものである。
【背景技術】
【０００２】従来、はさみ・くし・ケープ（落ちる髪の毛が衣服につかないように、または髪の毛を受けるために首に巻くもの）の３つの役割が揃った商品はなかった。
【発明の開示】
【発明が解決しようとする課題】
【０００３】赤ん坊の散髪は、赤ん坊自身じっとしていない事が多く、ケープを首に巻くことを嫌がることがあるという難点があった。本発明は、この課題を解消するためになされたものである。
【課題を解決するための手段】
【０００４】はさみ１にくし２を付けることによって、散髪時の仕事量が減り、また、ボックス４を付けることによって、ケープをする可能性が少なくなるようにした。
【発明の効果】
【０００５】はさみ・くし・ケープの役割が一体化することで、散髪時の前準備や後片付けが短縮できる。瞬時に行えるので、赤ん坊や介護用に使え、手軽である。
【実施例１】
【０００６】はさみの片側にはくし２が付いており、安全上、刃３はくし２より短くし、はさみの先端５は丸い。髪をかき上げるようにして使用する。髪収納ボックス４は、手の内におさまる大きさである。
【図面の簡単な説明】
【０００７】
【図１】本発明の正面図である。
【図２】本発明の使用状態を示す断面図である。
【符号の説明】
【０００８】１  はさみ本体
２  くし
３  刃
４  髪収納ボックス
５  はさみの先端
【図１】
2005288102.tif 000003
【図２】
2005288102.tif 000004
(57)【要約】      （修正有）【課題】指先を自由にして、小鼻、目の周り等をよく擦ることが可能な洗顔用手袋を提供する。【解決手段】片面を超極細繊維クロスにした手袋により、指、掌で丁寧に擦れるようにした。これにより、指先が自由になった為に、小鼻、目の周り等が、よく擦れる様になった。また、洗顔料を泡立てて、そのまますぐに顔が擦れる、頬も手の平で撫でれる様になった。【選択図】図１
2005288108.tif 000002
【特許請求の範囲】
【請求項１】
超極細繊維クロス（眼鏡拭き）を手袋の形にした洗顔用小物
【発明の詳細な説明】
【発明の詳細な説明】
【０００１】［発明の属する技術分野］
この発明は、超極細繊維クロス（以下クロス）を手袋の形にして洗顔時に使う美容に関するものである。
【０００２】［従来の技術］
従来の、クロスは一枚の布で、洗顔時に手で持ち顔を擦っても、小鼻、目の周り等の隅々まで擦れず、また、布がずれたり、使い辛い物であった。
【０００３】［発明が解決しようとする課題］
本発明は、その欠点をなくすために、クロスで隅々まで擦る為には指先が自由になることが必要と考えた。
【０００４】［課題を解決する為の手段］
指先が自由になる為にはクロスを手袋の形にすることが最上であると決定した。
【０００５】［発明の実態の形態］
本発明を実施するためにクロスを裁断し、手袋の片面に使用した。
【０００６】［発明の効果］
指先が自由になった為に、小鼻、目の周り等が、よく擦れる様になった。
また、洗顔料を泡立てて、そのまますぐに顔が擦れる、頬も手の平で撫でれる等の効果もあった。
【図面の簡単な説明】［図１］
本発明の説明図
【符号の説明】
１  は超極細繊維
２  は一般の繊維
【図１】
2005288108.tif 000003
(57)【要約】【課題】  浴室用内にて、シャンプーボトル、リンスボトルを使いやすく、清潔にする為の椅子を提供する。【解決手段】  椅子（１）の側面に、穴（２）を設け、穴（２）に洗剤ボトル（３）（４）を取り付けたことを特徴とする。【選択図】  図  １
2005288101.tif 000002
【特許請求の範囲】
【請求項１】
浴室用椅子（１）にシャンプー、リンス用ボトル（３）（４）を取り付けるための穴（２）を開けた椅子。
【発明の詳細な説明】
【発明の詳細な説明】
【技術分野】
【０００１】  この発明は、浴室用の椅子にシャンプー、リンスのポンプ式ボトルを一体化させるため、椅子の側面にボトルを固定させるための穴を開けた、収納タイプの椅子に関する物である。
【背景技術】
【０００２】  従来の、浴室では、シャンプー類と椅子は別々で、洗髪中など目がふさがった場合には、ボトルの場所など不明確になりがちであった。また、ボトル用の置き場所も必要である。さらに、直に置くとボトル底面は滑り易い。
【発明が解決しようとする課題】
【０００３】  本発明は、浴室内をすっきり片付けられるとともに、入浴中の洗髪を、よりスムーズに行え、また、ボトルの滑りも抑える目的で研究をすすめた。
【課題を解決するための手段】
【０００４】  浴室用椅子と、シャンプー類のボトルを一体化させる、つまり、椅子の側面の穴で以って、椅子の内部にボトルを固定し、外部にはポンプ式の出し口のみを取り付ける形とする。
【発明を実施するための最良の形態】
【０００５】  本発明を実施するため、長方形の、座面に穴のない浴室用椅子（１）を用い、椅子の側面に、穴（２）を開ける。この穴に、石鹸ボトルをキャップ部分で外したものを、ボトル（３）は椅子の内側に、口を（２）にはめ込んで、ポンプ部分（４）を椅子の外側から、（３）のねじ式の取り付け部と連結させる。すると、ボトルは、穴（２）によって固定され、浴室の床には触れずに、浮いた状態になる。
本発明は以上のような構造で、これを使用するときは、椅子に座って、各洗剤を使用する。
【発明の効果】
【０００６】  本発明は以上のような構成だから、ボトルの滑りは抑えられ、しかも、椅子の内部という、本来、多くは空洞である空間を有効利用することが可能になった。
【図面の簡単な説明】
【図１】本発明の斜視図である。
【図２】本発明の側面図である。
【符号の説明】
（１）  は椅子
（２）  は穴
（３）  はボトル部分
（４）  はポンプ部分
【図１】
2005288101.tif 000003
【図２】
2005288101.tif 000004
(57)【要約】【課題】  穴の開いたベルトに突起物がついた手のひらにつける指圧器具を提供する。【解決手段】  ベルト（１）に親指を通すあの（２）を開けて突起物（３）を設けたことを特徴とする。【選択図】      図１
2005288113.tif 000002
【特許請求の範囲】
【請求項１】
ベルト（１）に親指を通す穴（２）を開けて突起物（３）を設けた指圧器具。
【発明の詳細な説明】
【発明の詳細な説明】
【発明に属する技術分野】
【０００１】  穴の開いたベルトに突起物がついた手のひらにつける指圧器具に関するものである。
【背景技術】
【０００２】  なし
【発明が解決しようとする課題】
【０００３】  そのために、次のような欠点があった。
（イ）親指で指圧するには限度があった。
（ロ）肘でツボを押しても小さいツボには入りづらかった。
本発明は、これらの欠点を解決するためになされたものである。
【課題を解決するための手段】
【０００４】  ベルト（１）に親指を通すための穴（２）を開ける。そして突起物（３）を設ける。
本発明は、以上の構成からなる手のひらにつける指圧器具である。
【発明を実施するための最良の形態】
【０００５】  以下、本発明の実施の形態について説明する。
（イ）ベルト（１）に親指を通すための穴（２）を開け、適当な大きさの突起物（３）を設ける。
（ロ）ベルト（１）の右端にＤカン（４）を設け、左端に固定するためのマジックテープ（５）を設ける。
本発明は以上のような構造でこれを使用するときは、ベルト（１）の穴（２）に親指を通し、ベルト（１）を手のひらから甲にかけた状態でＤカン（４）に通し、マジックテープ（５）により調節し、固定される。
【発明の効果】
【０００６】  親指で押すのではなく、腕全体で押すので疲れず、楽に指圧できる。また指の力がない方でも、簡単に弊害なく使用できる。
また体の隅々までツボを押すことができる。さらに軽量で持ち運びやすく、いつでも使用することができる。
【図面の簡単な説明】
【図１】本発明の斜視図
【図２】本発明の要部断面図
【符号の説明】
（１）    ベルト
（２）    親指を通すための穴
（３）    突起物
（４）    Ｄカン
（５）    マジックテープ
【図１】
2005288113.tif 000003
【図２】
2005288113.tif 000004
【図３】
2005288113.tif 000005
【図４】
2005288113.tif 000006
【手続補正書】
【提出日】平成16年7月7日(2004.7.7)
【手続補正１】
【補正対象書類名】明細書
【補正対象項目名】全文
【補正方法】変更
【補正の内容】
【発明の詳細な説明】
【発明に属する技術分野】
【０００１】  穴の開いたベルトに突起物がついた手のひらにつける指圧器具に関するものである。
【背景技術】
【０００２】  なし
【発明が解決しようとする課題】
【０００３】  そのために、次のような欠点があった。
（イ）親指で指圧するには限度があった。
（ロ）肘でツボを押しても小さいツボには入りづらかった。
本発明は、これらの欠点を解決するためになされたものである。
【課題を解決するための手段】
【０００４】  ベルト（１）に親指を通すための穴（２）を開ける。そして突起物（３）を設ける。
本発明は、以上の構成からなる手のひらにつける指圧器具である。
【発明を実施するための最良の形態】
【０００５】  以下、本発明の実施の形態について説明する。
（イ）ベルト（１）に親指を通すための穴（２）を開け、適当な大きさの突起物（３）を設ける。
（ロ）ベルト（１）の右端にＤカン（４）を設け、左端に固定するためのマジックテープ（５）を設ける。
本発明は以上のような構造でこれを使用するときは、ベルト（１）の穴（２）に親指を通し、ベルト（１）を手のひらから甲にかけた状態でＤカン（４）に通し、マジックテープ（５）により調節し、固定される。
【発明の効果】
【０００６】  親指で押すのではなく、腕全体で押すので疲れず、楽に指圧できる。
また指の力がない方でも、簡単に弊害なく使用できる。
また体の隅々までツボを押すことができる。さらに軽量で持ち運びやすく、いつでも使用することができる。
【図面の簡単な説明】
【０００７】
【図１】  本発明の斜面図
【図２】  本発明の要部断面図
【図３】  本発明の手の甲から見た外観図
【図４】  本発明の手のひらから見た外観図
【符号の説明】
【０００８】  （１）      ベルト
（２）      親指を通すための穴
（３）      突起物
（４）      Ｄカン
（５）      マジックテープ
(57)【要約】【課題】  従来、スリッパやサンダルなどにより足裏のツボ刺激を必要とする場合には指圧用の突起とスリッパ・サンダルが一体になっている専用のスリッパ・サンダルを使用しなければならない上、突起においてもほぼ平面状であるため快適に感じる部分的なツボ刺激が得られなかった。【解決手段】  底部が平面でアーチ型に隆起した発砲ポリエチレン又はＥＶＡ樹脂パッド部と伸縮自在のゴムバンドが一体となったものからなり、室内外を問わずどのようなスリッパ・サンダルにでも容易に着脱可能であるように構成した。これにより、専用のスリッパ・サンダルでなくてもツボ刺激が得られ又、パッドの形状をアーチ型、材質を発砲ポリエチレン又はＥＶＡ樹脂等にすることにより軽量で携帯可能な上、パッドのクッション性により快適な刺激感が得られるのである。【選択図】図２
2005288116.tif 000002
【特許請求の範囲】
【請求項１】
底部が平面でアーチ型に隆起したパッドと、パッドと一体をなす伸縮自在のゴムバンドからなる着脱可能なスリッパ・サンダル簡易着脱ツボ押し具。
【請求項２】
発砲ポリエチレンパッド又はＥＶＡ樹脂パッドと、パッドと一体をなすレーヨンゴム等の柔らかい素材状のゴムバンドからなる、着脱可能な請求項１に記載のスリッパ・サンダル簡易着脱ツボ押し具。
【請求項３】
パッド部と伸縮自在のゴムバンドが一体となったものからなるため調整が不要で、スリッパ・サンダルの種類、サイズに関係なく、どのようなスリッパ・サンダルにでも容易に着脱でき、好みの位置に自在に取り付け可能な請求項１又は２に記載のスリッパ・サンダル簡易着脱ツボ押し具。
【請求項４】
パッドの素材や形状については請求項１又は２に記載のみに止まらず、竹やプラスチック又は円柱や楕円形等、その他のパッドと伸縮自在のゴムバンドが一体となったスリッパ・サンダル簡易着脱ツボ押し具。
【発明の詳細な説明】
【技術分野】
【０００１】  本発明は、スリッパ・サンダルに着脱自在で容易に足裏のツボ刺激が可能なスリッパ・サンダル簡易着脱ツボ押し具に関するものである。
【背景技術】
【０００２】  従来、スリッパ・サンダルにより足裏のツボを刺激するものとしてはスリッパ・サンダルと一体となった指圧用の突起を設けたものが広く知られている。
【発明の開示】
【発明が解決しようとする課題】
【０００３】  従来の技術で述べたものは指圧用の突起とスリッパ・サンダルが一体になっているものであり、ツボ刺激を必要とする場合には専用のスリッパ・サンダルを使用しなければならない上、突起においてもほぼ平面状であるため快適に感じる部分的なツボ刺激が得られなかった。【０００４】  そこで本発明は、室内外を問わずどのようなスリッパ・サンダルにでも着脱可能であり、容易で且つ部分的に足裏を刺激することのできるスリッパ・サンダル簡易着脱ツボ押し具の提供をしようとするものである。
【課題を解決するための手段】
【０００５】  本発明におけるスリッパ・サンダル簡易着脱ツボ押し具は底部が平面でアーチ型に隆起した発砲ポリエチレン又はＥＶＡ樹脂パッド部と伸縮自在のゴムバンドが一体となったものからなるため調整が不要で、スリッパ・サンダルの種類、サイズに関係なく、どのようなスリッパ・サンダルにでも好みの箇所に容易に着脱することにより達成される。
【発明の効果】
【０００６】  本発明は以上に述べたように構成されているので、室内外を問わずどのようなスリッパ・サンダルにでも容易に着脱可能であるため、自分の好みのスリッパ・サンダルを選ぶことが可能である。【０００７】  また、パッドの形状をアーチ型、材質を発砲ポリエチレン又はＥＶＡ樹脂等にすることにより軽量で携帯可能な上、パッドのクッション性により快適な刺激感が得られるのである。
【発明を実施するための最良の形態】
【０００８】  以下、本発明の実施の形態を図１〜図４に基づいて説明する。【０００９】  図１において、本体１は発砲ポリエチレン又はＥＶＡ樹脂パッドをアーチ型に隆起して成型し底面から上へ向かって、本体の約３分の１程度の部分へ左右が貫通するようをに穴を開け、この中に一本のゴムバンド２を通している。【００１０】  図２において、本体側面から出ているゴムバンド２については、レーヨンゴム等の柔らかく伸縮自在のものであり、本体へ通した後に作る結び目を左右のうち片方から引っ張り本体の中へしまい込んで成型されている。【００１１】  図３、図４は、本体１をゴムバンド２により確実にスリッパに装着されている。
【図面の簡単な説明】
【００１２】
【図１】  スリッパ・サンダル簡易着脱ツボ押し具の正面図
【図２】  スリッパ・サンダル簡易着脱ツボ押し具の斜視図
【図３】  スリッパに装着した上面図
【図４】  スリッパに装着した側面図
【符号の説明】
【００１３】１  本体
２  ゴムバンド
【図１】
2005288116.tif 000003
【図２】
2005288116.tif 000004
【図３】
2005288116.tif 000005
【図４】
2005288116.tif 000006
(57)【要約】      （修正有）【課題】従来器具は不特定多数の人が紙巻器に直接手を触れなければトイレットペーパーを切断できない構造のものが大半であった。  今回の発明器具は紙巻器に直接接触しなくてもワンタッチでトイレットペーパーを自由な長さに簡単切断できるトイレットペーパーカッター紙巻器をめざし便利さならびに清潔さに主眼をおいた。【解決手段】今回の発明器具はトイレットペーパーを透して間接的に紙巻器に触れるものの直接接触しない清潔なトイレットペーパーカッター紙巻器で力の転化を利用しているところに特質がある。  トイレットペーパーを切断する力がトイレットペーパーを固定する力に転化し簡単にトイレットペーパーを片手で自由な長さに切断できることである。そのためトイレットペーパーに触れることのみでトイレットペーパー切断を可能にした。よってバリアフリーの一助になることをも期待している。【選択図】図１
2005288112.tif 000002
【特許請求の範囲】
【請求項１】
偶力を利用することによりトイレットペーパーの切断力をトレットペーパーの固定力に瞬間転化させてトイレットペーパーを自由な長さに簡単切断できるトイレットペーパーカッター紙巻器
【請求項２】
トイレットペーパーカッター部をカバーするバネ付安全保護具
【発明の詳細な説明】
【発明の詳細な説明】
【０００１】  ［発明の属する技術分野］
本発明器具は力の転化を利用したトイレットペーパーカッター紙巻器でトイレットペーパーを切断する力をトイレットペーパーを固定する力に転化させて片手で自由な長さにトイレットペーパーを簡単に切断できる便利さがありさらにトイレットペーパーカッター紙巻器に直接触れることのない清潔さをも兼ね備えたものである。
【０００２】  ［従来の技術］
従来器具は手を使って紙巻器を抑えもう一方の手でトイレットペーパーを切断するものが大半であった。
【０００３】  ［発明の実施の形態］
本発明器具は力の転化を利用しトイレットペーパーを片手で自由な長さに簡単切断できるユニバーサルデザインのトイレットペーパーカッター紙巻器で紙巻器にトイレットペーパーを透して間接的にしか接触しないため感染防除に優れ清潔さに優れている特質がある。
【０００４】  ［発明の効果］
ユニバーサルデザインを取入れさらに清潔使用ができるトイレットペーパーカッター紙巻器でより多くの人々の利用が期待できる。
【図面の簡単な説明】  ［図１］
トイレットペーパーカッター紙巻器の立体図である。
［図２］
トイレットペーパーの据付図である。
［図３］
トイレットペーパーカッター紙巻器の構造図である。
［図４］
トイレットペーパーカッター部をカバーするバネ付安全保護具の構造図である。
【符号の説明】
１        バネ
２        ボルト
３        直径３．０ミリメートルステンレス棒
４        直径２．０ミリメートルステンレス棒
【図１】
2005288112.tif 000003
【図２】
2005288112.tif 000004
【図３】
2005288112.tif 000005
【図４】
2005288112.tif 000006
(57)【要約】【課題】  子どもが一人で、ペーパーを簡単に取り出せるように、おまるのハンドル部分に、ペーパーが一枚ずつ取り出せる容器を設け、便を、おまるにするのが難しかった子どもでも、力を入れて踏ん張ることが出来るようにおまるの便座部分に、取り外し可能な、長さ調節のできる足置き場（踏ん張る事の出来る）ステップを設けた、ペーパー・足置き場つきおまるを提供する。【解決手段】  おまるのハンドル部分中央に筒（１）を設け、筒（１）の中にペーパーが出し入れ出来るようにして、１枚ずつ取り出せる開閉可能なふた（２）を設け、便座部分（３）に取り外し可能で、長さ調節の出来る足置き場（踏ん張る事の出来る）ステップ（４）を設けたペーパー・足置き場つきおまるを特徴とする。【選択図】      図１
2005288117.tif 000002
【特許請求の範囲】
【請求項１】
（イ）おまるのハンドル部分中央に、ペーパーが一枚ずつ取り出せる容器を設ける。
（ロ）おまるの便座部分に、取り外し可能な、長さ調節のできる足置き場（踏ん張る事の出来る）ステップを設ける。
以上の構成よりなるペーパー・足置き場つきおまる。
【発明の詳細な説明】
【発明の詳細な説明】
【技術分野】
【０００１】  この発明は、おまるのハンドル部分中央に、ペーパーが１枚ずつ取り出せる容器を設けて、便座部分に取り外し可能な足置き場（踏ん張る事の出来る）ステップを設けたおまるに関するものである。
【背景技術】
【０００２】  従来、おまるのハンドル部分には、ペーパーを１枚ずつ取り出す機能は無く、便座部分に、足を置いて踏ん張るステップも無かった。
【発明が解決しようとする課題】
【０００３】  これは次のような欠点があった。
（イ）おまるに乗りながら、トイレットペーパーを取ろうとしても、手が届く位置になく、一度降りて取りに行く際に、床に尿・便をポタポタと落としてしまう。
（ロ）手が届く位置にペーパーがあっても、子どもの力では、ペーパーをうまく切る事が出来ずにクルクルと無駄にペーパーを出し過ぎてしまう。
（ハ）尿はおまるにすることが出来る子供でも、便の際には力を入れて踏ん張る事が出来ないので、便をおまるに出来るようになるのに時間がかかる。
（ニ）イ・ロの理由で、母親が常に付き添い手間がかかる。
（ホ）イ・ロ・ハの理由で、子どもが自分で挑戦・努力した事で注意され、トイレ離れをしてしまい、自発性の妨げになる。
本発明は、以上のような欠点を失くすためになされたものである。
【課題を解決する為の手段】
【０００４】  （イ）      おまるのハンドル部分中央に筒（１）を設け、筒（１）の中にペーパーが出し入れ出来るようにして、開閉可能で１枚ずつペーパーが取り出せるふた（２）を設ける。
（ロ）便座部分（３）に取り外し可能で、長さ調節の出来る足置き場（踏ん張る事の出来る）ステップ（４）を設ける。
本発明は、以上の構成よりなるペーパー・足置き場つきおまるである。
【発明を実施するための最良の形態】
【０００５】以下、本発明の実施の形態について説明する。
（イ）おまるのハンドル部分中央に市販のトイレットペーパーでも入る大きさの円筒（１）を設け、円筒（１）の中にペーパーが出し入れ出来るようにする。円筒（１）の上部には、子供でもペーパーが１枚ずつ取り出せる開閉可能なふた（２）を設ける。
（ロ）便座部分（３）の前方にネジが出ない様にくぼみのある取り付け穴（５）を設け、取り外し可能で、成長に合わせて長さ調節の出来る足置き場（踏ん張る事の出来る）ステップ（４）を座金（６）・ネジ（７）で取り付ける。
本発明は、以上のような構造でこれを使用するときは、おまるに座ったまま、子どもが自分でペーパーを１枚ずつ取り、おまるで便を催すのを容易にする事が出来る。
【発明の効果】
【０００６】  （イ）おまるに乗りながら、トイレットペーパーを容易に取ることが出来る。
（ロ）ペーパーをうまく切る事が出来ない子どもでも容易にペーパーを取れるので、自分で出来る事により、子供の自立心が芽生える。
（ハ）便をおまるにするのが難しかった子どもでも、力を入れて踏ん張ることが出来るので、容易に便をおまるにする事が出来るようになる。
（ニ）親が手伝う手間がはぶける。
（ホ）成長に合わせて足置き場（ステップ）を長さ調節・取外し出来るので便利。
【図面の簡単な説明】
【図１】  本発明の斜視図である。
【図２】  本発明の分解斜視図である。
【符号の説明】
１  円筒
２  ふた
３  おまる便座
４  足置き場
５  取り付け穴
６  座金
７  ネジ
【図１】
2005288117.tif 000003
【図２】
2005288117.tif 000004
(57)【要約】【課題】  洗濯物を物干し竿に掛けて乾燥させる際、屋外では天候が曇りの時や湿度の高い時、また屋内に干す時など、洗濯物が乾燥しにくい条件の時に本発明の装置により洗濯物の乾燥時間を短縮させるものである。【解決手段】  本発明の物干し竿掛け装置は、物干し竿を往復運動させる装置が設けてあり、物干し竿を往復運動させて物干し竿に吊るしてある洗濯物の間に強制的に気流を生じさせ、洗濯物周りの湿度を下げることにより、洗濯物の乾燥時間を短縮するものである。【選択図】      図１
2005288124.tif 000002
【特許請求の範囲】
【請求項１】
物干し竿を往復運動させることにより、物干し竿に吊るした洗濯物の乾燥時間を短縮させる機能の付いた、物干し竿掛け装置。
【発明の詳細な説明】
【発明の詳細な説明】
【技術分野】
【０００１】  本発明は、物干し竿に掛けられた洗濯物の乾燥時間を、短縮させる機能に関する。
【背景技術】
【０００２】  従来の物干し竿掛けは、物干し竿を往復運動させる機能は付いていない。
【発明が解決しようとする課題】
【０００３】  物干し竿に洗濯物を吊るして乾燥させる際、屋外では天候が晴れでない時や湿度の高い時、また屋内で乾燥を行う時など、洗濯物を乾燥させるのに条件の悪い時には乾燥時間が長くなってしまう。
【課題を解決するための手段】
【０００４】  上記課題を解決するために、本発明の物干し竿掛け装置では、物干し竿を支える部分に物干し竿を往復運動させる機能を設け物干し竿を往復運動させることにより、洗濯物の間に強制的に気流を発生させ洗濯物の周りの湿度を低くすることで水分の蒸発を促し、洗濯物の乾燥時間を短縮するものである。
【発明を実施するための最良の形態】
【０００５】  図１において、物干し竿支持板（１）には回転軸（２）とカム用長穴（３）が設けてある。モーター（４）を一定方向に回転させるとカムフォロア（６）はモーター軸（５）から一定量偏芯した位置でモーター軸（５）周りを回転する。物干し竿支持板（１）はカムフォロア（６）に従動して回転軸（２）を中心に揺動運動をおこなうことにより、物干し竿支持板（１）の上の物干し竿（７）は水平方向に往復運動をおこなう。物干し竿（７）にはカラー（８）が取り付けられており物干し竿（７）の落下を防ぐ。物干し竿（７）のもう片方はプーリー（９）により支持される。
【発明の効果】
【０００６】  物干し竿に吊るした洗濯物の乾燥時間を短縮させることできる。
【図面の簡単な説明】
【図１】  本発明の物干し竿掛け装置に洗濯物を吊るした時の斜視図である。
【図２】  本発明の物干し竿掛け装置の正面図である。
【図３】  図２のＡ−Ａ断面図である。
【符号の説明】
１．物干し竿支持板
２．回転軸
３．カム長穴
４．モーター
５．モーター軸
６．カムフォロア
７．物干し竿
８．カラー
９．プーリー
【図１】
2005288124.tif 000003
【図２】
2005288124.tif 000004
【図３】
2005288124.tif 000005
(57)【要約】【課題】マグネットフックの吊着物重量による落下及び散乱を解消するために、フレームに挿入し吊設した基盤に吊着させてり、直接フックを鋲着することで落下を防止し、同形態のフック１ピースを連続吊着できるようにした連続吊着用マグネットフックを提供する。【解決手段】ボードフレーム１に吊着基盤３のフレーム挿入摺動部２を挿入し、吊設させた吊着基盤３の吊着口４にフック本体１ピース９の吊着フック５を吊着させることで、落下を防止し、フック本体１ピース９の吊着フック５を吊着口４に吊着させることで、連続してフック本体１ピース９を吊着させてることで、散乱を解消できるようにした連続吊着用マグネットフックである。【選択図】図１
2005288122.tif 000002
【特許請求の範囲】
【請求項１】
フックの落下を防止するために吊設したフック基盤に、吊着する場合と、直接フックを鋲着する場合との両方で、連続で吊着できるように、フック本体１ピースに、吊着用フック・吊着口・挿入口・マグネットを設けたことを特徴とする連続吊着用マグネットフックである。
【発明の詳細な説明】
【技術分野】
【００１】本発明は、マグネットフックの散乱や吊着物重量による落下を解消するために、フック本体１ピースに吊着用フック・吊着口・マグネット・挿通口を設け、落下を防止できる場所に吊設させたフック基盤または直接鋲着したフックに吊着していくこで、落下を防止し、同形態のフック１ピースを連続して吊着できるため、フックの散乱をも解消できるようにした連続吊着用フックである。
【背景技術】
【００２】従来は連続吊着できるマグネットフックはなく、フック単体のマグネット貼着または鋲着であった。
【発明の開示】
【発明が解決しようとする課題】
【００３】解決しようとする問題点は、従来のマグネットフックは容易に貼着でき、吊着できるが吊着物の重量によって、貼着されたフックの落下やずれるという難点があった。本発明は、この課題を解消するためのフックである。
【課題を解決するための手段】
【００４】本発明は、フック本体１ピース９に吊着用フック５・吊着口４・マグネット７を設け、連続吊着を可能にし、落下を防止できる場所に吊設された吊着基盤３に吊着することによって落下を防止した。またフック本体１ピース９の挿通口６を設けることにより鋲着も可能にしたフックである。
【発明の効果】
【００５】本発明のフックは、フック本体１ピース９に吊着用フック５・吊着口４を設けることで、連続して吊着することができ、散乱することもなくグループ別に統一することも可能であり、用途によってフック本体１ピース９の追加や削除も容易である。また吊着基盤３やフック本体１ピース９の挿通口６を利用することで、落下も防止できる。
【実施例】
【００６】図１は、本発明の吊設された吊着基盤３にフック本体１ピース９を２ピース吊着させたものであり、吊着フック５と吊着口４を利用することによりフック本体１ピース９を連続吊着を可能にし、フックの落下と散乱を解消し、フック本体１ピース９の挿通口６を設けておくことにより直接鋲着をも可能にした構造をもつ連続吊着用マグネットフックである。
【図面の簡単な説明】
【００７】
【図１】本発明の正面図である。
【図２】本発明の側面図である。
【符号の説明】
【００８】  １ボードフレーム
２フレーム挿入摺動部
３吊着基盤
４吊着口
５吊着フック
６挿通口
７マグネット
８鉤吊着部材
９フック本体１ピース
１０ボード面
【図１】
2005288122.tif 000003
【図２】
2005288122.tif 000004
(57)【要約】【課題】  本発明は、椅子および座席に装着するための腰の牽引の効果のある健康マットである。従来、椅子や座席に装着するマットには、腰の牽引効果を得るには困難であった。また、腰の牽引治療には、煩雑的かつ大がかりな治療器具により行うのが専らである。本発明は、腰の牽引の効果が得られる簡便な健康器具として提供する。【解決手段】  椅子および座席の背もたれ５に、下方から上方へ向けた弾性のある多数の突起３または波状の突起４を施した背もたれ部マット１を装着し、さらに、椅子および座席の座面６に、奥から手前へ向けた弾性のある多数の突起３または波状の突起４を施した座面部マット２を装着し、これに背中を当てて腰掛けることで腰部の牽引の効果が得られるようになされたものである。【選択図】          図１
2005288130.tif 000002
【特許請求の範囲】
【請求項１】
椅子および座席の背もたれ５に装着する、下方から上方へ向けた弾性のある多数の突起３を施した背もたれ部マット１と、椅子および座席の座面６に装着する、奥から手前へ向けた弾性のある多数の突起３を施した座面部マット２からなる、椅子および座席に装着するためのマット
【請求項２】
椅子および座席の背もたれ５に装着する、下方から上方へ向けた弾性のある多数の突起３を施した背もたれ部マット１と、椅子および座席の座面６に装着する、奥から手前へ向けた弾性のある多数の波状の突起４を施した座面部マット２からなる、椅子および座席に装着するためのマット。
【請求項３】
椅子および座席の背もたれ５に装着する、下方から上方へ向けた弾性のある多数の波状の突起４を施した背もたれ部マット１と、椅子および座席の座面６に装着する、奥から手前へ向けた弾性のある多数の波状の突起４を施した座面部マット２からなる、椅子および座席に装着するためのマット。
【請求項４】
椅子および座席の背もたれ５に装着する、下方から上方へ向けた弾性のある多数の波状の突起４を施した背もたれ部マット１と、椅子および座席の座面６に装着する、奥から手前へ向けた弾性のある多数の突起３を施した座面部マット２からなる、椅子および座席に装着するためのマット。
【発明の詳細な説明】
【技術分野】
【０００１】本発明は、腰への負担の軽減や腰痛緩和の牽引効果が得られる、椅子および座席に装着する腰の牽引効果マットに関するものである。
【背景技術】
【０００２】従来、椅子および座席に装着するマットには、より良い座り心地を求めたものやツボの刺激、あるいは温熱効果により腰への負担を軽減・緩和を図っている。また、腰痛患者の治療方法の一つとして、腰部の機械的な牽引による治療が行われている。
【発明の開示】
【発明が解決しようとする課題】
【０００３】椅子や座席に装着するマットには、より良い座り心地を求めたものやツボの刺激、あるいは温熱効果により腰への負担を軽減・緩和を図っているものなどが見受けられるが、腰部の牽引効果を得るには困難であった。また、腰部の牽引治療には、上半身および腰部をベルト等で固定し、機械的に牽引するなど煩雑的かつ大がかりな治療器具により行うのが専らであり、家庭等で気軽に行うには容易ではなかった。本発明は、椅子や座席に装着する簡便なマットにより腰部の牽引の効果が得られるようになされたものである。
【課題を解決するための手段】
【０００４】椅子および座席の背もたれ５に、下方から上方へ向けた弾性のある多数の突起３または下方から上方へ向けた弾性のある多数の波状の突起４を施した背もたれ部マット１を装着し、さらに、椅子および座席の座面６に、奥から手前へ向けた弾性のある多数の突起３または奥から手前へ向けた弾性のある多数の波状の突起４を施した座面部マット２を装着し、これに背中を当てて腰掛けることで、その二方向の弾性を利用して腰部の牽引の効果が得られるようになされたものである。
【発明の効果】
【０００５】本発明により、大がかりな牽引治療器具を用いることなく、椅子および座席に腰掛けることで腰の牽引の効果を得ることができる。
【発明を実施するための最良の形態】
【０００６】以下、本発明の実施の形態を説明する。
椅子および座席の背もたれ５に、下方から上方へ向けた弾性のある多数の突起３または下方から上方へ向けた弾性のある多数の波状の突起４を施した背もたれ部マット１と、椅子および座席の座面６に、奥から手前へ向けた弾性のある多数の突起３または奥から手前へ向けた弾性のある多数の波状の突起４を施した座面部マット２の構成よりなるもので、本発明を使用する場合は、椅子や座席の背もたれ部分に装着した上で背中を背もたれ部分に当てるように腰掛けることにより腰部の牽引効果が得られるようになされたものである。
【図面の簡単な説明】
【０００７】
【図１】        本発明の斜視図である。
【図２】        本発明の斜視図である。
【図３】        本発明の斜視図である。
【図４】        本発明の斜視図である。
【図５】        本発明の背もたれ部マットの断面図である。
【図６】        本発明の背もたれ部マットの断面図である。
【図７】        本発明の座面部マットの断面図である。
【図８】        本発明の座面部マットの断面図である。
【図９】        本発明の背もたれ部マットの拡大図である。
【図１０】        本発明の背もたれ部マットの拡大図である。
【図１１】        本発明の座面部マットの拡大図である。
【図１２】        本発明の座面部マットの拡大図である。
【符号の説明】
【０００８】１  背もたれ部マット
２  座面部マット
３  突起部
４  波状の突起部
５  椅子および座席の背もたれ
６  椅子および座席の座面
【図１】
2005288130.tif 000003
【図２】
2005288130.tif 000004
【図３】
2005288130.tif 000005
【図４】
2005288130.tif 000006
【図５】
2005288130.tif 000007
【図６】
2005288130.tif 000008
【図７】
2005288130.tif 000009
【図８】
2005288130.tif 000010
【図９】
2005288130.tif 000011
【図１０】
2005288130.tif 000012
【図１１】
2005288130.tif 000013
【図１２】
2005288130.tif 000014
(57)【要約】【課題】沿岸より遊泳船を水面に浮かべ竿操作により、水の流れを利用し無公害による遊泳船の自由操作可能にし、広範囲での釣り。各種のキャラクターによる水面遊泳。水上運搬を可能にした。【解決手段】船体（１）に、船体裏面に水圧板（２）を取り付け、船体の先頭部に丸フック（３）船体側面にボルトフック（４）を取り付け、船体丸フック（３）ボルトフック（４）に基礎コード（５）を取り付け、竿につながる道糸（６）と接続し、竿（７）にて水面上の遊泳船を沿岸より自由操作する。【選択図】  図１
2005288128.tif 000002
【特許請求の範囲】
【請求項１】
船体（１）を設け、船体裏面に水圧板（２）を取り付け、船体の先頭部に丸フック（３）を取り付け、船体の側面部にボルト状フック（４）を取り付けた遊泳船である。
【請求項２】
船体丸フック（３）ボルト状フック（４）に基礎コード（５）を取り付け、竿からつながる道糸（６）と接続し、竿（７）にて水面上の遊泳船を沿岸より自由操作する。
【請求項３】
基礎コード（５）に角度調整装置（８）を設け、遊泳船操作時、結び目の位置設定により角度調整を行い、水流の強弱に合わせて船体の進行を調整操作する。
【請求項４】
基礎コート（５）に脱着装置（９）を設け、船体の回収時、松葉ピン状のスプリングピンに強い力により衝撃を与え、船体より分離し、水圧板による水圧抵抗を解除し、遊泳船のスムーズな回収を可能とした。
【発明の詳細な説明】
【技術分野】
【０００１】  本発明は、沿岸より遊泳船を浮かべ水の流れを利用し、遊泳船の水上遊泳操作に関する。
【背景技術】
【０００２】  従来より、沿岸より模型船等を水面に自由遊泳するにはリモートコントロールによる操作が有るが、目的を果たすには、バッテリー又はガソリン等による動力燃料が必要で有り、又それを操作するには高度な技術が必要で有り、高価で有った、又騒音及びガソリン公害等が発生した。【０００３】  釣竿による目的水面の投入方法があるが、水流のあるところでの安定着止、広範囲の移動は出来なかった。
【発明の開示】
【課題を解決するための手段】
【０００４】  上記目的を達成するために、本発明の水流を利用した水上遊泳船は、船体裏面に水圧板を設け、基礎コードの角度調整により、水圧板に水流をぶつけることにより、遊泳船は対流方向に進行し、希望位置に安定定着する。又遊泳船を移動する時、基礎コードを道糸により船体より下げ、水中内に沈下し道糸を操作することにより、遊泳船は希望位置に安定定着することが出来る。又道糸にて基礎コードに、強い力による衝撃を与えることにより、脱着装置を解除し、水圧板の抵抗を無くし、遊泳船のスムーズ回収を可能にした。
【本発明の効果】
【０００５】  本発明は、動力を自然の水流を利用したものであるので無公害である。
【０００６】  遊泳船の素材は機能を満たす物であれば素材を選ばない。
【０００７】  遊泳船のデザインは自由デザインが選択出来るため、水面にさまざまなキャラクターを遊泳滑走、安定定着することが出来る。
【０００８】  遊泳船に釣り仕掛けを取り付け、従来の沿岸からの釣り範囲をより広くすることを可能にした。
【０００９】  遊泳船のサイズ、デザインの自由選択により、人、荷物の運搬も可能にした。
【発明を実施するための最良の形態】
【００１０】  図１において、船体（１）丸フック（３）ボルトフック（４）を設け、船体フック（３）（４）に基礎コード（５）を取り付け、竿からつながる道糸（６）と竿（７）を一体にして、水面上の遊泳船を沿岸より自由操作し、基礎コード（５）に、角度調整コード（８）図６を設け、遊泳船操作時、水流の強弱に合わせて、遊泳船の進行を調整操作する。基礎コード（５）に脱着装置（９）図７を設け、遊泳船の回収時、船体の水圧抵抗を解除し、スムーズに遊泳船の回収を行う。又遊泳船の滑走時、より水流抵抗を増すために水圧板（２）を取り付け、船体の進行の促進をした。
【実施例１】
【００１１】  図１図９は、本発明船体装置の魚釣り遊泳船の一例である。
【実施例２】
【００１２】  図８は、本発明船体キャラクターの一例である。
【実施例３】
【００１３】  図１２は、枯れ木を使用したり、擬木を様した釣り浮きの例である。
【産業上の利用可能性】
【００１４】  従来、船を沿岸より自由操作し、遊泳又は広範囲での釣り、対岸への運搬を行うには、何らかの動力が必要であった。船を動かすに当たり、騒音、燃料による公害が余儀なくされていた、それらの問題を解決し無公害のスポーツ性の高い遊泳船として。又広範囲での魚釣り。無人による対岸への運搬を可能にした。
【図面の簡単な説明】
【００１５】
【図１】実施例を示す全体図
【図２】正面図
【図３】正面からの側面図
【図４】側面図
【図５】裏面図
【図６】基礎コードと道糸の結合図
【図７】脱着装置の拡大図
【図８】キャラクターの例図
【図９】擬木の例図
【符号の説明】
【００１７】  １  船体
２  水圧体
３  丸フック
４  側面ボルトフック
５  基礎コード
６  竿からつながる道糸
７  竿
８  角度調整
９  脱着装置
【図１】
2005288128.tif 000003
【図２】
2005288128.tif 000004
【図３】
2005288128.tif 000005
【図４】
2005288128.tif 000006
【図５】
2005288128.tif 000007
【図６】
2005288128.tif 000008
【図７】
2005288128.tif 000009
【図８】
2005288128.tif 000010
【図９】
2005288128.tif 000011
(57)【要約】      （修正有）【課題】痔病で困っている人の治療対策を簡便にし、苦痛を和らげることにより、歩行や運動等日常生活を楽にすることが出来る、患部に薬剤を圧着さす治療バンドを提供する。【解決手段】胴廻りに装着する巾広伸縮ベルト１に中空伸縮ベルト２を２本とりつけ、中空伸縮ベルト２の肛門に当る部分に患部押え３を取付ける。装着するときには、患部と患部押え３の間に薬剤のついたものを挟むのであるが、中空伸縮ベルト２の張力により安定した状態を保つことが出来る。又、患部押え３が肛門に圧力を加えることにより、脱肛状態になることを防ぐことになる。【選択図】図１
2005288129.tif 000002
【特許請求の範囲】
【請求項１】
胴廻り用巾広伸縮ベルト１の中央部に中空伸縮ベルト２を取付け、肛門に当る部分に患部押え３を取付けた痔治療バンド。
【請求項２】
請求項１の痔治療バンドをパンツに縫込んだもの。
【発明の詳細な説明】
【技術分野】
【０００１】本発明は、痔病治療のために、下腹部にバンドを装着し、その患部に当たる部分に患部押えを取付け、薬剤のついたものを圧着させ、藥効を高める役割をする。又脱肛も防止するものである。
［背景技術］【０００２】従来は、痔の患部に薬剤を塗るだけか、薬剤のついたものを粘着剤で膚に貼りつけられていた。
［発明の開示］
［発明が解決しようとする課題］【０００３】患部に薬剤を塗った状態では、使用しているパンツに薬剤が付着し、不快になる。又薬剤のついたものを貼りつけた場合、密着状態にならなく、排便時取外した後、再度使用がむつかしかつた。
本発明は、この課題を解消するためになされたものである。
［課題を解決するための手段］【０００４】腹部に装着するための巾広伸縮ベルト１に、中空伸縮ベルト２を２本取付け、肛門に当たる部分に患部押え３を取付けたものを使用し、患部に薬剤のついたものを安定さす。
［発明の効果］【０００５】患部に取付ける薬剤を常に密着さすことが出来、薬効がこうじょうする。又、密着さすことにより、脱肛症状には患部の脱出するのを防止し、歩行や運動が楽に出来るようになる。
［実施例１］【０００６】胴廻り用巾広伸縮ベルト１は、中空伸縮ベルト２の引張りに耐える長さにする。中空伸縮ベルト２は、巾広伸縮ベルト１の前面部に間隔をあけて取り付け、肛門部を圧着出来る長さにして先端を後部の同位置に取り付ける。患部押え３は２本の中空伸縮ベルト２を肛門の当る部分で束ねて取付ける。
［実施例２］【０００７】図４に示すように、患部圧着式痔治療バンドをパンツに縫い込んで使用する。
パンツは、装着したまま小便の出来るものにする。
【図面の簡単な説明】
【０００８】  ［図１］
本発明の斜視図である。
［図２］
本発明の平面図である。
［図３］
本発明の側面図である。
［図４］
本発明をパンツに縫い込んだ状態の斜視図である。
【符号の説明】
【０００９】１  巾広伸縮ベルト
２  中空伸縮ベルト
３  患部押え
４  パンツ
【図１】
2005288129.tif 000003
【図２】
2005288129.tif 000004
【図３】
2005288129.tif 000005
【図４】
2005288129.tif 000006